(57)【要約】      （修正有）【課題】スピーカーキャビネットからの放射音がスピーカー全体の再生音質に好ましい影響を与えるように意図されるスピーカーシステムに適し、スピーカースタンドからの放射音を抑制し、キャビネットを上向きに所定角度を与えるように傾斜させて載置する際に、しっかりと支持することができるスピーカースタンドを提供する。【解決手段】スピーカースタンド２０は、キャビネットを構成する底面板を支持する底面支持部２２と、背面板を支持する背面支持部２４と、底面支持部と背面支持部とを連結して設置する床面に載置される床面載置部２７を含む脚部２１と、を備える。底面支持部が、水平面に対して所定角度だけ傾斜してスピーカーを所定角度に傾けた場合の前記底面板と略平行になる底面支持平面２３を有する。背面支持部が、垂直面に対して所定角度だけ傾斜して所定角度に傾けた場合の前記背面板と略平行になる背面支持平面２５を有する。【選択図】図２
2018098726.tif 000002
【特許請求の範囲】
【請求項１】
キャビネットを備えるスピーカーを、スピーカーユニットが取り付けられる該キャビネットを構成する前面板を上向きに所定角度を与えるように傾斜させて載置するスピーカースタンドであって、
該キャビネットを構成する底面板を支持する底面支持部と、該キャビネットを構成する背面板を支持する背面支持部と、該底面支持部と該背面支持部とを連結して設置する床面に載置される床面載置部を含む脚部と、を備え、
該底面支持部が、水平面に対して該所定角度だけ傾斜して該スピーカーを該所定角度に傾けた場合の該底面板と略平行になる底面支持平面を有し、
該背面支持部が、垂直面に対して該所定角度だけ傾斜して該スピーカーを該所定角度に傾けた場合の該背面板と略平行になる背面支持平面を有する、
スピーカースタンド。
【請求項２】
前記底面支持部が、前記底面支持平面に、前記スピーカーを前記所定角度に傾けた場合の前記底面板における重心支持位置に当接する底面支持凸部材をさらに有し、
前記背面支持部が、前記背面支持平面に、前記背面板における前記キャビネットを構成する左側面板または右側面板に近い位置２点にそれぞれ当接する背面支持凸部材を有する、
請求項１に記載のスピーカースタンド。
【請求項３】
前記脚部が、前記底面支持部の前記底面支持平面を仮想的に延長した位置に、水平面に対して前記所定角度だけ傾斜して前記スピーカーを該所定角度に傾けた場合の前記底面板と略平行になる補助底面支持平面を有する、
請求項１または２に記載のスピーカースタンド。
【請求項４】
前記脚部が、前記補助底面支持平面に、前記スピーカーシステムを前記所定角度に傾けた場合の前記底面板における前記前面板並びに前記左側面板又は該前面板並びに前記右側面板に近い位置２点にそれぞれ当接する補助底面支持凸部材を有する、
請求項３に記載のスピーカースタンド。
【請求項５】
前記底面支持凸部材、前記背面支持凸部材、および、前記補助底面支持凸部材がそれぞれ、前記底面支持部の前記底面支持平面、前記背面支持部の前記背面支持平面、または、前記脚部の前記補助底面支持平面に対して、取り付け／取り外し可能な部材により構成されている、
請求項２または４に記載のスピーカースタンド。
【請求項６】
前記脚部が木質材で構成されている場合に、前記底面支持部が、前記脚部よりも密度が大きい他の木質材で構成されている、
請求項１から５のいずれかに記載のスピーカースタンド。
【請求項７】
前記脚部が、前記床面載置部に一方端が取り付けられ、他方端が前記床面に当接して、該脚部を該床面から離隔させるように浮かせる足部材をさらに備える、
請求項１から６のいずれかに記載のスピーカースタンド。
【請求項８】
前記キャビネットの前記底面板よりも前記床面に対する投影面積が大きい幅寸法または奥行き寸法を有する錘部材が、前記脚部の前記床面載置部に取り付けられている、
請求項１から７のいずれかに記載のスピーカースタンド。
【請求項９】
請求項１から８のいずれかに記載のスピーカースタンドと、前記キャビネットを備える前記スピーカーと、を含む、スピーカーシステム。
【発明の詳細な説明】
【技術分野】
【０００１】
本発明は、スピーカースタンド、並びに、このスピーカースタンドを含むスピーカーシステムに関する。
【背景技術】
【０００２】
スピーカーシステムは、スピーカーキャビネットに取り付けられたスピーカーユニットに音声信号を印加することにより音を再生する。スピーカーシステムでは、印加された音声信号によりスピーカーユニットが駆動されると、スピーカーユニットの駆動の反作用により、スピーカーキャビネットを構成する各面の板材（スピーカーキャビネットを構成するそれぞれの板）が振動し、各面の板から音が放射される。なかでも木質製のスピーカーキャビネットを構成するそれぞれの板は、板を構成する材料、板の幅・厚み等に依存して特定の固有振動数で振動するので、それぞれの板が特有の音色を有する。
【０００３】
スピーカーユニットから再生される音に比べて、スピーカーキャビネットを構成するそれぞれの板から放射される音は音圧レベルが低いが、スピーカーシステム全体の再生音質に与える影響は大きいので、従来から木質製のスピーカーキャビネットを構成する各面の板材の選定もしくは板材の形状等に工夫がなされている。従来には、スピーカーキャビネットからの放射音がスピーカー全体の再生音質に好ましい影響を与えるようにスピーカーキャビネットを構成するものがある。
【０００４】
例えば、従来には、それぞれの外周部が頂点を規定しない一対の側板に、該一対の側板の外周部に対応して湾曲した１枚の曲げ板が取り付けられてなる、スピーカーキャビネットがある（特許文献１）。さらに、スピーカーユニット取付部を備える表板と、該表板に向かって右側面方向の右側板と、該表板に向かって左側面方向の左側板と、を備えるスピーカーキャビネットであって、該表板が、繊維板もしくはパーティクルボードの板材から構成され、該右側板および該左側板が、該表板よりも板厚の薄い楽器用木質材料の板材から構成される、スピーカーキャビネットがある（特許文献２）。
【０００５】
また、キャビネットを備えるスピーカーシステムは、スピーカースタンドに載置されて使用者が再生音を聴取するのに適する位置に設置される場合がある。スピーカースタンドを含むスピーカーシステムは、スピーカースタンドが再生音質に影響を及ぼし、例えば、スピーカーのキャビネットからスピーカースタンドに伝わる振動が、放射音となって再生音質に悪影響を与える場合がある。とくに、上述のようなスピーカーキャビネットからの放射音がスピーカー全体の再生音質に好ましい影響を与えるように意図されるスピーカーシステムでは、スピーカースタンドからの放射音を抑制し、しっかりとスピーカーのキャビネットを支持することが求められる。
【０００６】
例えば従来には、スピーカースタンドの共鳴体として作用し、共鳴音を大きくしてしまう表面積が広く質量の大きい板状または柱状の素材を使用せず、表面積および質量が小さい細い棒状素材を使用し、溶接により枠組み形状に一体化された共鳴音発生が少ない軽量スピーカースタンドがある（特許文献３）。また、スピーカーユニットと前記スピーカーユニットを収容するエンクロージャとを有するスピーカーおよび前記スピーカーを略水平方向に放音するように支持するスピーカースタンドを備えるスピーカー装置であって、前記スピーカースタンドは、前記スピーカーの軸上後方を前記エンクロージャの外殻面にて支持するスタンド部を有することを特徴とするスピーカー装置がある（特許文献４）。
【０００７】
【特許文献１】特許第３９５９４２０号公報
【特許文献２】特許第３９５９４２１号公報
【特許文献３】特許公開２０１２−９５７１０号公報
【特許文献４】特許公開２０１１−７７６８１号公報
【０００８】
しかしながら、特許文献３の図１〜図４に図示するようなスピーカースタンドでは、スピーカースタンドがスピーカーのキャビネットの側板を挟み込んで支持する構造となっているので、スピーカーキャビネットの特に側面板からの放射音がスピーカー全体の再生音質に好ましい影響を与えるように意図されるスピーカーシステムには適さないという問題がある。一方で、リスナーの耳の位置・向き・高さに合わせるように、スピーカースタンドを高くする、または、スピーカースタンドにキャビネットを上向き傾斜させて載置する際には、スピーカーがスピーカースタンドから落下しやすくなるので、落下を防ぐ構成を採用する必要がある。
【発明の概要】
【発明が解決しようとする課題】
【０００９】
本発明は、上記の従来技術が有する問題を解決するためになされたものであり、その目的は、スピーカースタンド並びにこれを含むスピーカーシステムに関し、スピーカーキャビネットからの放射音がスピーカー全体の再生音質に好ましい影響を与えるように意図されるスピーカーシステムに適して、スピーカースタンドからの放射音を抑制し、キャビネットを上向きに所定角度を与えるように傾斜させて載置する際にも、しっかりとスピーカーのキャビネットを支持することができるスピーカースタンドを提供することにある。
【課題を解決するための手段】
【００１０】
本発明のスピーカースタンドは、キャビネットを備えるスピーカーを、スピーカーユニットが取り付けられるキャビネットを構成する前面板を上向きに所定角度を与えるように傾斜させて載置するスピーカースタンドであって、キャビネットを構成する底面板を支持する底面支持部と、キャビネットを構成する背面板を支持する背面支持部と、底面支持部と背面支持部とを連結して設置する床面に載置される床面載置部を含む脚部と、を備え、底面支持部が、水平面に対して所定角度だけ傾斜してスピーカーを所定角度に傾けた場合の底面板と略平行になる底面支持平面を有し、背面支持部が、垂直面に対して所定角度だけ傾斜してスピーカーを所定角度に傾けた場合の背面板と略平行になる背面支持平面を有する。
【００１１】
好ましくは、本発明のスピーカースタンドは、底面支持部が、底面支持平面に、スピーカーを所定角度に傾けた場合の底面板における重心支持位置に当接する底面支持凸部材をさらに有し、背面支持部が、背面支持平面に、背面板におけるキャビネットを構成する左側面板または右側面板に近い位置２点にそれぞれ当接する背面支持凸部材を有する。
【００１２】
また、本発明のスピーカースタンドは、脚部が、底面支持部の底面支持平面を仮想的に延長した位置に、水平面に対して所定角度だけ傾斜してスピーカーを所定角度に傾けた場合の底面板と略平行になる補助底面支持平面を有する。
【００１３】
好ましくは、本発明のスピーカースタンドは、脚部が、補助底面支持平面に、スピーカーを所定角度に傾けた場合の底面板における前面板並びに左側面板又は前面板並びに右側面板に近い位置２点にそれぞれ当接する補助底面支持凸部材を有する。
【００１４】
また、本発明のスピーカースタンドは、底面支持凸部材、背面支持凸部材、および、補助底面支持凸部材がそれぞれ、底面支持部の底面支持平面、背面支持部の背面支持平面、または、脚部の補助底面支持平面に対して、取り付け／取り外し可能な部材により構成されている。
【００１５】
好ましくは、本発明のスピーカースタンドは、脚部が木質材で構成されている場合に、底面支持部が、脚部よりも密度が大きい他の木質材で構成されている。
【００１６】
また、本発明のスピーカースタンドは、脚部が、床面載置部に一方端が取り付けられ、他方端が床面に当接して、脚部を床面から離隔させるように浮かせる足部材をさらに備える。
【００１７】
また、好ましくは、本発明のスピーカースタンドは、キャビネットの底面板よりも床面に対する投影面積が大きい幅寸法または奥行き寸法を有する錘部材が、脚部の床面載置部に取り付けられている。
【００１８】
また、好ましくは、本発明のスピーカーシステムは上記いずれかに記載のスピーカースタンドと、キャビネットを備えるスピーカーと、を含む。  
【００１９】
以下、本発明の作用について説明する。
【００２０】
本発明のスピーカースタンドは、キャビネットを構成する底面板を支持する底面支持部と、背面板を支持する背面支持部と、底面支持部と背面支持部とを連結して設置する床面に載置される床面載置部を含む脚部と、を備える。この脚部は、底面支持部が、水平面に対して所定角度だけ傾斜してスピーカーを所定角度に傾けた場合の底面板と略平行になる底面支持平面を有し、背面支持部が、垂直面に対して所定角度だけ傾斜して該スピーカーを所定角度に傾けた場合の背面板と略平行になる背面支持平面を有する。
【００２１】
このスピーカースタンドは、キャビネットを備えるスピーカーを、スピーカーユニットが取り付けられるキャビネットを構成する前面板を上向きに所定角度を与えるように傾斜させて載置する。したがって、スピーカースタンドは、リスナーの耳の位置・向き・高さに合わせるように、スピーカースタンドにスピーカーのキャビネットを上向き傾斜させて載置することができ、このスピーカースタンドと、キャビネットを備えるスピーカーと、を含む、スピーカーシステムを構成することができる。
【００２２】
スピーカースタンドは、底面支持部が、底面支持平面に、スピーカーを所定角度に傾けた場合の底面板における重心支持位置に当接する底面支持凸部材をさらに有し、背面支持部が、背面支持平面に、背面板におけるキャビネットを構成する左側面板または右側面板に近い位置２点にそれぞれ当接する背面支持凸部材を有する。したがって、スピーカースタンドは、キャビネットを傾斜させて載置しても、スピーカーをその場合の底面板における重心支持位置を底面支持凸部材により支持するので、背面支持平面に２点で当接する背面支持凸部材によりさらに支持するだけで、しっかりとスピーカーのキャビネットを支持することができる。その結果、スピーカースタンドは、スピーカーキャビネットからの放射音がスピーカー全体の再生音質に好ましい影響を与えるように意図されるスピーカーシステム全体の再生音質に好ましい影響を与えることができる。
【００２３】
スピーカースタンドの脚部は、底面支持部の底面支持平面を仮想的に延長した位置に、水平面に対して所定角度だけ傾斜してスピーカーを所定角度に傾けた場合の底面板と略平行になる補助底面支持平面を有していてもよい。また、脚部は、補助底面支持平面に、スピーカーを所定角度に傾けた場合の底面板における前面板並びに左側面板又は前面板並びに右側面板に近い位置２点にそれぞれ当接する補助底面支持凸部材を有していてもよい。キャビネットを上向きに所定角度を与えるように傾斜させて載置する際に、例えキャビネットが前方方向または左右方向に傾いたとしても、支持点が増えてしっかりとスピーカーのキャビネットを支持し、スピーカーがスピーカースタンドから落下しにくくすることができる。
【００２４】
スピーカースタンドは、底面支持凸部材、背面支持凸部材、および、補助底面支持凸部材がそれぞれ、底面支持部の底面支持平面、背面支持部の背面支持平面、または、脚部の補助底面支持平面に対して、取り付け／取り外し可能な部材により構成されている場合には、これらを異なる材料の部材で構成すれば、その材料の音速、密度、内部損失等の特性に応じた振動特性を発揮する。したがって、例えば脚部が木質材で構成されている場合に、底面支持部が、脚部よりも密度が大きい他の木質材で構成されているようにすれば、スピーカースタンドの振動を適切に抑制することができる。
【００２５】
スピーカースタンドは、脚部は、床面載置部に一方端が取り付けられ、他方端が床面に当接して、脚部を床面から離隔させるように浮かせる足部材をさらに備えていてもよい。また、キャビネットの底面板よりも床面に対する投影面積が大きい幅寸法または奥行き寸法を有する錘部材が、脚部の床面載置部に取り付けられていてもよい。脚部に表面積および質量が小さい細い棒状素材を使用するような場合であっても、脚部の振動並びにスピーカースタンドからの放射音を抑制することができる。
【発明の効果】
【００２６】
本発明のスピーカースタンド並びにこれを含むスピーカーシステムは、スピーカーキャビネットからの放射音がスピーカー全体の再生音質に好ましい影響を与えるように意図されるスピーカーシステムに適して、スピーカースタンドからの放射音を抑制し、キャビネットを上向きに所定角度を与えるように傾斜させて載置する際にも、しっかりとスピーカーのキャビネットを支持することができる。
【図面の簡単な説明】
【００２７】
【図１】本発明の好ましい実施形態によるスピーカーシステムについて説明する図である。（実施例１）
【図２】本発明の好ましい実施形態によるスピーカースタンドの構造について説明する図である。（実施例１）
【図３】本発明の好ましい実施形態による他のスピーカースタンドの構造について説明する図である。（実施例２）
【図４】本発明の好ましい実施形態によるスピーカースタンドの振動特性について説明するグラフである。（実施例２、比較例１）
【発明を実施するための形態】
【００２８】
以下、本発明の好ましい実施形態によるスピーカースタンド並びにスピーカーシステムについて説明するが、本発明はこれらの実施形態には限定されない。
【実施例１】
【００２９】
図１〜図３は、本発明の好ましい実施形態によるスピーカースタンド並びにスピーカーシステムについて説明する図である。具体的には、図１は、スピーカー２およびスピーカースタンド２０を含むスピーカーシステム１について説明する図である。図１（ａ）は斜視図であり、図１（ｂ）は側面図である。また、図２は、本実施例のスピーカースタンド２０の構成を説明する斜視図である。また、図３（ａ）は、他の実施例のスピーカースタンド２０ａの構成を説明する斜視図であり、図３（ｂ）は後述する床面載置部２７の一部断面図である。図１〜図３では、図示を分かりやすくするために、説明に不要な一部の構造等は、図示を省略している。
【００３０】
スピーカーシステム１は、スピーカーキャビネット１０を有するスピーカー２を、水平面である床面７に設置するスピーカースタンド２０または２０ａを含む。スピーカースタンド２０および２０ａは、スピーカー２を上向きに所定角度θ（本実施例の場合は約７°。）を与えるように傾斜させて載置する。後者のスピーカースタンド２０ａは、前者のスピーカースタンド２０に対して後述する床面載置部２７に錘部材３５が取り付けられている点で相違し、その他の点で共通する。したがって、スピーカーシステム１は、いずれのスピーカースタンド２０または２０ａを含んでも構成することができる。
【００３１】
スピーカースタンド２０または２０ａは、スピーカー２のツィーター４を聴取者の耳の高さに合わせるように上向きに傾斜させる。こうすると、スピーカースタンドの全高を低く抑えて、スピーカースタンドが転倒する危険性を抑制することができる。スピーカースタンド２０ａでは、後述するように錘部材３５を取り付けて、より転倒しにくくしている。
【００３２】
スピーカー２は、木質材料で形成される略直方体形状のスピーカーキャビネット１０に、低音域再生用のウーファー３と、高音域再生用のツィーター４と、がそれぞれ取り付けられている。前面板１１は、（図示しない）スピーカーユニット取付孔を備える。スピーカーユニットの前面板１１への固定には、比較的長い木ねじやボルト／ナット等の固定手段が用いられる。なお、前面板１１には少なくとも一つのスピーカーユニットが取り付けられればよく、取り付けられるスピーカーの個数および種類に限定されない。背面板１４には、スピーカーユニットに供給される音声信号が入力されるターミナル５が取り付けられている。
【００３３】
略直方体形状のスピーカーキャビネット１０は、前面板１１と、前面板１１に向かって右側面方向の右側板１２と、前面板１１に向かって左側面方向の左側板１３と、前面板に対向する背面板１４と、天面板１５と、底面板１６と、を備える。それぞれの板材１１〜１６は、略矩形状であり、互いに直交するように隣接する板材と連結する。スピーカーキャビネット１０の板材１１〜１６は、接着剤等を用いて形成されるＭＤＦまたはパーティクルボード等の木質材料であればよい。また、スピーカー２において良く響く楽器用木質材料の板材の特質をバランス良く引き出した音声・音場再生を可能にするには、密度が低く、音響放射特性に優れる桐、または、スプルースの板材などの楽器用の木質材料を用いるのが好ましい。
【００３４】
スピーカー２は、密度が低い木質材料で形成される略直方体形状のスピーカーキャビネット１０の前面板１１に、重量が重いスピーカーユニットであるウーファー３およびツィーター４が取り付けられている。その結果、スピーカー２の重心点６は、奥行き方向では背面板１４に近い側ではなく、前面板１１に近い側に寄っている。スピーカー２を載置するスピーカースタンド２０は、少なくともスピーカー２の重心点６を下側から支えるようにしなければ、スピーカー２を安定して支持することが難しい。さらに、略直方体形状のスピーカー２の前面板１１を上向きに所定角度θを与えるように傾斜させるには、スピーカースタンド２０は、スピーカーキャビネット１０を傾けるように背面板１４および底面板１６を支持する必要がある。そこで、スピーカースタンド２０は、前面板１１を上向きに所定角度θを与えるように傾斜させた場合に、重心点６から仮想的に降ろした垂線が底面板１６を通過する位置において底面板１６を支持するようにして、安定してスピーカー２を載置するように工夫している。
【００３５】
スピーカースタンド２０は、スピーカーキャビネット１０と同様に、木質材料を脚部２１に用いる。本実施例の脚部２１は、棒状のタモ無垢材である脚部材を複数組み合わせて形成されている。脚部２１は、さらにスピーカー２の底面板１６を支持する底面支持部２２と、背面板１４を支持する背面支持部２４と、底面支持部２２と背面支持部２４とを連結して設置する床面７に載置される床面載置部２７を含む。本実施例の脚部２１は、スピーカーキャビネット１０の底面板１６の四隅の位置に対応する垂直に立つ４本の脚部材と、これらを連結する脚部材を含む。脚部２１の構成は、図示するような構成に限られず、底面支持部２２と背面支持部２４と床面載置部２７を含むものであれば、他の形状および構成であってもよい。
【００３６】
本実施例の底面支持部２２は、スピーカーキャビネット１０の前面板１１側の２本の垂直の脚部材と、背面板１４側の２本の垂直の脚部材とを、水平面である床面７に対して所定角度θだけ傾斜して連結する。したがって、底面支持部２２は、スピーカー２を傾けて載置する場合に、底面板１６と略平行になる。また、底面支持部２２は、底面板１６と略平行になる底面支持平面２３を有する。本実施例では、右側板１２および左側板１３に対して略平行になる２本の底面支持部２２を構成する脚部材を設けて、さらにこれらの脚部材を左右方向に連結する脚部材を設けて、その上面に底面支持平面２３を構成している。本実施例のように、脚部２１を構成する脚部材に棒状のタモ無垢材を用いるような場合には、底面支持部２２並びに底面支持平面２３を構成する部分の脚部材には、タモ無垢材（比重：約0.7g/cm3）よりも比重が大きい高比重の木材である縞黒材（黒檀材）（比重：約1.3g/cm3）等を用いるのが好ましい。
【００３７】
また、底面支持部２２は、底面支持平面２３に底面支持凸部材２６をさらに有する。底面支持凸部材２６は、スピーカーキャビネット１０の底面板１６に当接して支持する部材であり、本実施例では所定の厚みの円形のフェルト材により形成されている。底面支持凸部材２６は、底面支持平面２３において、スピーカー２を所定角度θに傾けた場合に、重心点６からの垂線が底面板１６を通過する位置に設けられている。したがって、底面支持凸部材２６によって底面板１６を支持すれば、重心点６を支持するのに適切な位置であるので、所定角度θだけ上側に傾けても安定してスピーカー２を載置することができる。
【００３８】
本実施例の背面支持部２４は、水平面である床面７に対して所定角度θだけ傾斜するスピーカーキャビネット１０の背面板１４を支持する。背面支持部２４は、スピーカーキャビネット１０の背面板１４側に位置する２本の垂直の脚部材を、垂直方向上側に延設するように設けられる。したがって、背面支持部２４は、左側面板または右側面板に近い位置２点に設けられることになる。背面支持部２４は、スピーカー２を傾けて載置する場合に、背面板１４と略平行になる背面支持平面２５を有する。本実施例の背面支持平面２５は、右側板１２および左側板１３のそれぞれ背面板１４側に対応する２本の脚部材の前面側に構成されている。したがって、背面支持部２４は、例えスピーカー２のターミナル５にスピーカーコードが接続されても干渉せずに、背面板１４を支持することができる。
【００３９】
また、背面支持部２４は、それぞれの背面支持平面２５に背面支持凸部材２８または２９をさらに有する。背面支持凸部材２８または２９は、スピーカーキャビネット１０の背面板１４に当接して支持する部材であり、本実施例では所定の厚みの円形のフェルト材により形成されている。背面支持凸部材２８または２９は、背面支持平面２５において、スピーカー２を所定角度θに傾けた場合に、大きな振動を発生させるスピーカーユニットであるウーファー３の中心軸を含む平面に一致するような位置に設けられている。したがって、背面支持凸部材２８または２９によって背面板１４を支持すれば、スピーカー２を所定角度θだけ上側に傾けても背面板１４に落下するのを防いで安定してスピーカー２を載置することができるだけでなく、ウーファー３から発生する振動を効果的に抑制することができる。
【００４０】
本実施例の脚部２１は、スピーカーキャビネット１０の底面板１６の前面板１１側の２カ所の隅に対応して、底面支持部２２の底面支持平面２３を仮想的に延長した位置に、補助底面支持平面３０または３１を有している。補助底面支持平面３０または３１は、水平面に対して所定角度だけ傾斜してスピーカー２を所定角度θに傾けた場合に、底面板１６と略平行になる平面である。また、補助底面支持平面３０または３１には、補助底面支持凸部材３２または３３がさらにそれぞれ設けられている。補助底面支持凸部材３２または３３は、底面支持凸部材２６と同様に、スピーカーキャビネット１０の底面板１６に当接して支持する部材であり、本実施例では所定の厚みの円形のフェルト材により形成されている。本実施例の補助底面支持平面３０または３１は、スピーカーキャビネット１０の前面板１１側に位置する２本の垂直の脚部材において、上側の端面を傾斜面にすることで設けられる。
【００４１】
補助底面支持平面３０または３１は、スピーカー２を傾けて載置する場合に、例えスピーカー２が前方方向または左右方向に多少傾いても落下しないように支える支点となる。底面支持凸部材２６は、スピーカー２の重心点６を支持する底面板１６における支点となるので、補助底面支持平面３０または３１の補助底面支持凸部材３２または３３は、補助的に底面板１６の隅部分を支持すればよい。したがって、スピーカースタンド２０は、所定角度θだけ上側に傾けても安定してスピーカー２を載置することができる。補助底面支持平面３０または３１は、図示するような底面板１６の前面板１１側の２カ所の隅に対応する場合に限られず、底面板１６における他の位置であってもよく、例えば、底面板１６の背面板１４側の２カ所の隅に対応して設けてもよい。
【００４２】
スピーカースタンド２０では、底面支持凸部材２６、背面支持凸部材２８または２９、および、補助底面支持凸部材３２または３３がそれぞれ、所定の厚みの円形のフェルト材により形成されている。これらのフェルト材は、接着剤または両面テープ剤により取り付け／取り外し可能である。もちろん、その材料の音速、密度、内部損失等の特性に応じた振動特性を有するフェルト材以外の部材を用いてもよい。底面支持凸部材２６は底面支持部２２の底面支持平面２３に対して、別の振動特性を有する取り付け／取り外し可能な部材により構成されていればよい。同様に、背面支持凸部材２８または２９は背面支持部２４の背面支持平面２５に対して、また、補助底面支持凸部材３２または３３は脚部２１の補助底面支持平面３０または３１に対して、別の振動特性を有する取り付け／取り外し可能な部材により構成されていればよい。
【００４３】
なお、スピーカースタンド２０では、底面支持凸部材２６、背面支持凸部材２８または２９、および、補助底面支持凸部材３２または３３をそれぞれ省略して、スピーカースタンド２０の脚部２１がスピーカー２のスピーカーキャビネット１０を直接に支持していてもよい。つまり、脚部２１は、底面板１６を支持する底面支持部２２と、背面板１４を支持する背面支持部２２と、底面支持部２２と背面支持部２４とを連結して設置する床面７に載置される床面載置部２７を含むものであればよい。
【００４４】
本実施例の床面載置部２７は、スピーカーキャビネット１０の底面板１６の四隅の位置に対応して脚部２１を構成する垂直に立つ４本の脚部材の床面７側の端部に設けられている。床面載置部２７は、前面板１１側に垂直に立つ２本の脚部材の床面７側の端部を連結する脚部材、および、背面板１４側に垂直に立つ２本の脚部材の床面７側の端部を連結する脚部材、を含んで構成されている。
【００４５】
床面載置部２７は、脚部２１を床面７から離隔させるように浮かせる足部材３４をさらに備えている。足部材３４は、スピーカーキャビネット１０の底面板１６の四隅の位置に対応して４カ所の床面載置部２７に設けられている。足部材３４は、一方端に設けられるネジ部が床面載置部２７に取り付けられ、ピン状に尖った他方端が床面に当接する。したがって、床面７が絨毯等の比較的に柔らかい素材で形成されている場合にも、足部材３４が床面７に食い込むので、スピーカースタンド２０または２０ａを安定させることができる。足部材３４はネジが床面載置部２７に螺合する構成になっているので、４カ所の支点間のがたつきを抑えるように高さ調整ができる利点がある。
【実施例２】
【００４６】
図３に図示する本実施例のスピーカースタンド２０ａにおいて、脚部２１の床面載置部２７には、錘部材３５が前後方向に２つ取り付けられている。錘部材３５は重量が重い部材なので、これらを取り付けられることでスピーカースタンド２０ａの重心点が低くなり、安定することになる。これら２つの錘部材３５は、スピーカーキャビネット１０の底面板１６よりも床面７に対する投影面積が大きい幅寸法または奥行き寸法を有する投影面を形成する。錘部材３５を取り付けて重心が低くなり、錘部材３５の大きさが大きくなって投影面積が大きくなれば、スピーカースタンド２０ａは転倒しにくくなる。
【００４７】
したがって、スピーカースタンド２０ａにスピーカー２を載置する場合に、スピーカースタンド２０ａごと転倒してしまうような事故を防止することができる。少なくとも、先の実施例のスピーカースタンド２０よりも、転倒のおそれを小さくすることができる。錘部材３５は、前側または後側の一方のみを床面載置部２７に取り付けてもよく、他の形状のものであってもよい。
【００４８】
本実施例の錘部材３５は、脚部２１と同じ木質材であるタモ無垢材で構成されている。ただし、脚部２１が木質材で構成されている場合に、脚部２１よりも密度が大きい他の木質材で構成されるのがより好ましい。したがって、脚部２１に表面積および質量が小さい棒状の素材を使用するような場合であっても、脚部２１の振動並びにスピーカースタンド２０ａからの放射音を抑制することができる。本実施例のように、脚部２１を構成する脚部材に棒状のタモ無垢材を用いるような場合には、タモ無垢材（比重：約0.7g/cm3）よりも比重が大きい高比重の木材である縞黒材（黒檀材）（比重：約1.3g/cm3）等を用いるのが好ましい。
【００４９】
図４は、スピーカースタンドの振動特性について説明するグラフである。具体的には、図４（ａ）は本実施例のスピーカースタンド２０ａにスピーカー２を上向きに所定角度θを与えるように傾斜させて載置した場合であり、図４（ｂ）は比較例としての従来からの上向きに傾斜させないスピーカースタンドにスピーカー２を載置した場合である。グラフの横軸は、スピーカー２に加える音声信号の周波数［Ｈｚ］であり、グラフの縦軸は、スピーカーまたはスピーカースタンドの各位置における振動加速度の相対値［ｄＢ］である。
【００５０】
図４のグラフにおいて、測定位置を示すＰ２はスピーカーキャビネット１０の前面板１１に対応し、Ｐ３はスピーカースタンド２０ａの底面支持部２２に対応し、Ｐ４は脚部２１の中間部に対応し、Ｐ５は床面載置部２７並びに錘部材３５に対応する。比較例の場合においても、同様に対応する位置を選んでいる。図４のグラフからは、振動加速度のレベルが大きいほど、その振動する構造体の部分から放射される音波が大きくなることが推測される。したがって、図４のグラフは、スピーカースタンドの振動特性がスピーカースタンドを含むスピーカーシステムに与える音質上の影響を示す。
【００５１】
本実施例の場合を示す図４（ａ）のグラフでは、スピーカーキャビネット１０の前面板１１の位置Ｐ２での振動レベルが最も大きく、スピーカースタンド２０ａの各位置Ｐ３〜Ｐ５では振動レベルが小さくなっている。各位置Ｐ３〜Ｐ５での振動レベルは、スピーカー２から遠ざかるにつれて高い周波数がより減衰する自然な減衰特性を示している。聴感上で知覚しやすい２ｋＨｚ以上の高い周波数帯域において極端なピークを持たず振動モードが分散し、周波数軸に対して素直に右下がりとなる特性を実点できている。
【００５２】
このように本実施例のスピーカースタンド２０ａでは、脚部２１等からの放射音を抑制することができるので、スピーカーキャビネット１０からの放射音が再生音質に好ましい影響を与えるように意図されるスピーカー２である場合に適するスピーカースタンドになっている。もちろん、スピーカー２がＭＤＦの板材で構成されていても、脚部２１等からの放射音を抑制することができるので、スピーカー２の特質を引き出した音声・音場再生が可能になるという同様の効果が得られる。
【００５３】
一方で、比較例の場合を示す図４（ｂ）のグラフでは、スピーカーキャビネット１０の前面板１１の位置Ｐ２での振動レベルが最も大きいのは変わらないものの、スピーカースタンド２０ａの底面支持部２２に対応する位置Ｐ３での振動レベルが２ｋＨｚ以上の高い周波数帯域で極めて大きくなっている。これは、比較例の底面支持部が聴感上で知覚しやすい周波数帯域で大きく振動していることを示している。その結果、スピーカースタンドの脚部２１等からの放射音が大きくなり、抑制することができないので、スピーカーキャビネット１０からの放射音が再生音質に好ましい影響を与えるように意図されるスピーカー２では、適当なスピーカースタンドにならないという問題がある。高い周波数帯域に出現する振動のピークの放射音圧が耳に付いてスピーカー全体の再生音質に好ましくない影響を与えるものになってしまう問題があることがわかる。
【００５４】
なお、スピーカースタンドの脚部２１を構成する脚部材には、棒状のタモ無垢材の他にも、比重が大きい高比重の木材である縞黒材（黒檀材）等を用いてもよい。例えば、ＭＤＦでもよいが、楽器用木質材料の板材から構成されればよく、タモ、縞黒材、スプルース、桐に限定されない。代表的には、他の楽器用木質材料のマホガニー、ローズウッド、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、セン、アルダー、ブビンガもしくはオバンコールのいずれかであればよい。脚部材は、無垢材が好ましいが、集成材であってもよい。脚部材には、適度な減衰を実現するために、構造物は、長手方向に木目を合わせることが好ましい。
【００５５】
また、スピーカースタンド２０では、底面支持凸部材２６が所定の厚みの円形のフェルト材により形成されているので、接着剤または両面テープ剤により取り付け／取り外し可能である。フェルト材は、羊毛繊維を圧搾して布状にしたものであり、厚みと弾性を併せ持つ部材である。したがって、異なる大きさのスピーカーキャビネット１０を有する別のスピーカー２を載置するような場合にも、異なる重心点６に対応して、底面支持部２２の底面支持平面２３において底面支持凸部材２６を移動させて、スピーカー２を載置することができる。背面支持凸部材２８または２９、および、補助底面支持凸部材３２または３３についても、それぞれ同様である。もちろん、底面支持凸部材２６、背面支持凸部材２８または２９、および、補助底面支持凸部材３２または３３は、フェルト材に限らずに他のコルク板、等の木質部材であってもよく、また、弾性を有するゴム系部材、金属部材あるいは樹脂部材でもよく、脚部２１とは別の振動特性を有する取り付け／取り外し可能な部材により構成されていればよい。
【００５６】
また、上記実施例のスピーカー２は、略直方体形状のスピーカーキャビネット１０を備える場合であるが、これに限定されない。スピーカーキャビネット１０は、スピーカーユニットが取り付けられる前面板１１と、スピーカースタンド２０の底面支持部２２に支持される底面板１６と、背面支持部２４に支持される背面板１４とに相当する面状の部分を含んでいればよい。
【００５７】
また、上記実施例のスピーカースタンド２０または２０ａは、略直方体形状のスピーカーキャビネット１０の前面板１１を上向きに所定角度を与えるように傾斜させて載置するが、前面板１１を下向きに傾斜させて載置するように応用してもよい。その場合には、スピーカースタンド２０の背面支持部２４が前面板１１を支持するように底面支持部２２に反対向きに載置すればよい。
【産業上の利用可能性】
【００５８】
本発明のスピーカースタンド並びにこれらのスピーカースタンドを用いたスピーカーシステムは、家庭用のステレオ再生、もしくはマルチチャンネルサラウンド再生に限られず、車載用のオーディオ機器や、映画館等の音響再生設備にも適用が可能である。
【符号の説明】
【００５９】
１            スピーカーシステム
２            スピーカー
３            ウーファー
４            ツィーター
５            ターミナル
６            重心点
７            床面
１０          スピーカーキャビネット
１１          前面板
１２          右側板
１３          左側板
１４          背面板
１５          天面板
１６          底面板
２０          スピーカースタンド
２１          脚部
２２          底面支持部
２３          底面支持平面
２４          背面支持部
２５          背面支持平面
２６          底面支持凸部材
２７          床面載置部
２８、２９    背面支持凸部材
３０、３１    補助底面支持平面
３２、３３    補助底面支持凸部材
３４          足部材
３５          錘部材
【図１】
2018098726.tif 000003
【図２】
2018098726.tif 000004
【図３】
2018098726.tif 000005
【図４】
2018098726.tif 000006